(57)【要約】【課題】  記撮像画像を縦方向、または横方向に伸ばした伸長画像をシャッタボタンの押下前に確認することができ、シャッタボタンが押下されたときに、そのときの伸長画像を記録媒体に記録する、使い勝手を向上させたディジタルカメラを提供する。【解決手段】  ディジタルカメラ１は、撮像部３で撮像している被写体の撮像画像を画像処理部４に入力する。画像処理部４は、設定されている縦方向伸長率、または横方向伸長率に基づいて、入力された撮像画像を縦方向、または横方向に伸ばした縦方向伸長画像または、横方向伸長画像を生成し、これを表示部５に入力する。また、シャッタボタン７ａが押下されると、表示部５において表示されている画像の画像データを記録部６に記録する。【選択図】  図１
2006135533.tif 000002
【特許請求の範囲】
【請求項１】
被写体を撮像する撮像手段と、
前記撮像手段が撮像している被写体の画像を表示する表示手段と、
シャッタボタンが押下されたときに、前記表示手段で表示されている画像を記録する記録手段と、を備えたディジタルカメラにおいて、
前記撮像手段が撮像している被写体の画像について、縦方向、または横方向に伸ばした伸長画像を生成する伸長画像生成手段と、を備え、
前記表示手段は、伸長画像生成手段が生成した前記伸長画像を表示する機能を含み、
前記伸長画像生成手段は、第１のボタンが押下された場合に、第１の時間毎に前記撮像画像を縦方向に伸ばす比率を段階的に切り替えながら前記伸長画像を生成し、
第２のボタンが押下された場合に、第２の時間毎に前記撮像画像を横方向に伸ばす比率を段階的に切り替えながら前記伸長画像を生成する手段であり、
さらに、前記伸長画像生成手段は、前記第１の時間毎に前記撮像画像を縦方向に伸ばす比率を段階的に切り替えながら前記伸長画像を生成しているときに、前記第１のボタンが再度押下された場合、前記撮像画像を縦方向に伸ばす比率をその時点の比率に設定し、
また、前記第２の時間毎に前記撮像画像を横方向に伸ばす比率を段階的に切り替えながら前記伸長画像を生成しているときに、前記第２のボタンが再度押下された場合、前記撮像画像を横方向に伸ばす比率をその時点の比率に設定する手段であるディジタルカメラ。
【請求項２】
被写体を撮像する撮像手段と、
前記撮像手段が撮像している被写体の画像を表示する表示手段と、
シャッタボタンが押下されたときに、前記表示手段で表示されている画像を記録する記録手段と、を備えたディジタルカメラにおいて、
前記撮像手段が撮像している被写体の画像について、縦方向、または横方向に伸ばした伸長画像を生成する伸長画像生成手段と、を備え、
前記表示手段は、伸長画像生成手段が生成した前記伸長画像を表示する機能を含むディジタルカメラ。
【請求項３】
前記伸長画像生成手段は、第１のボタンが押下された場合に縦方向に伸ばした前記伸長画像を生成し、第２のボタンが押下された場合に横方向に伸ばした前記伸長画像を生成する手段である請求項２に記載のディジタルカメラ。
【請求項４】
前記伸長画像生成手段は、前記第１のボタンが押下された場合に、第１の時間毎に前記撮像画像を縦方向に伸ばす比率を段階的に切り替えながら前記伸長画像を生成し、
前記第２のボタンが押下された場合に、第２の時間毎に前記撮像画像を横方向に伸ばす比率を段階的に切り替えながら前記伸長画像を生成する手段である請求項３に記載のディジタルカメラ。
【請求項５】
前記伸長画像生成手段は、前記第１の時間毎に前記撮像画像を縦方向に伸ばす比率を段階的に切り替えながら前記伸長画像を生成しているときに、前記第１のボタンが再度押下された場合、前記撮像画像を縦方向に伸ばす比率をその時点の比率に設定し、
また、前記第２の時間毎に前記撮像画像を横方向に伸ばす比率を段階的に切り替えながら前記伸長画像を生成しているときに、前記第２のボタンが再度押下された場合、前記撮像画像を横方向に伸ばす比率をその時点の比率に設定する手段である請求項４に記載のディジタルカメラ。
【発明の詳細な説明】
【技術分野】
【０００１】
この発明は、イメージセンサを用いて被写体を撮像した撮像画像を画像データで記録するディジタルカメラに関する。
【背景技術】
【０００２】
従来、被写体を撮像した撮像画像を画像データで記録するディジタルカメラが一般に普及している。ディジタルカメラは、周知のように、イメージセンサであるＣＣＤを用いて撮像した被写体の撮像画像を画像データに変換し、撮像している被写体の画像を表示部に表示する。シャッタボタンが押下されると、そのときの被写体の撮像画像にかかる画像データをフラッシュメモリ等の記録媒体に記録する。このように、ディジタルカメラには、撮像している被写体の撮像画像を表示する表示部を備えているので、ユーザは表示部に表示されている被写体の撮像画像を確認しながらシャッタを押下することができる。また、記録媒体に記録されている被写体の撮像画像を表示部に表示させることもでき、ユーザは記録媒体に記録されている撮像画像を表示部で確認できる。さらに、ディジタルカメラは、記録媒体に記録されている被写体の撮像画像にかかる画像データを出力することができ、撮像画像をプリンタでプリントアウトしたり、パソコンに取り込んで加工することもできる。
【０００３】
また、従来のディジタルカメラには、撮像者が撮像レンズを自分自身の方向に向けて撮像する、所謂自分撮りを行うときに、撮像者の体脂肪率を測定し、シャッタボタンが押下されたときに測定した体脂肪率に応じて撮像画像を横方向に伸縮する加工を行い、加工した画像（伸縮画像）を記録媒体に記録する構成のものもある（特許文献１参照）。
【特許文献１】特開２００２−２８２２３３号公報
【発明の開示】
【発明が解決しようとする課題】
【０００４】
しかしながら、特許文献１に記載されているディジタルカメラは、シャッタボタンが押下された後に、測定した体脂肪率に応じて撮像画像を横方向に伸縮する加工を行って、加工した画像を記録媒体に記録する構成であった。このため、ユーザは、シャッタボタンを押下する前に、記録媒体に記録される伸縮画像（測定した体脂肪率に応じて横方向に伸縮する加工が行われた画像）を確認することができなかった。言い換えれば、シャッタの押下後でないと、伸縮画像を確認することができなかった。一方、伸縮画像が、上述したように撮像画像を横方向に伸縮した画像であるので、この伸縮画像における人物と背景とのバランスと、ユーザがシャッタボタンを押下する前に確認できる撮像画像における人物と背景とのバランスと、の間に差異が生じるので、伸縮画像における人物と背景とのバランスがユーザの好みにあわないことがある。この場合、ユーザは撮像をやり直すのであるが、上述したようにシャッタボタンを押下する前に伸縮画像における人物と背景とのバランスを確認することができないので、撮像を何度もやり直すことがあり、操作性がよくないという問題があった。
【０００５】
この発明の目的は、記撮像画像を縦方向、または横方向に伸ばした伸長画像をシャッタボタンの押下前に確認することができ、シャッタボタンが押下されたときに、そのときの伸長画像を記録媒体に記録する、操作性を向上させたディジタルカメラを提供することにある。
【課題を解決するための手段】
【０００６】
この発明のディジタルカメラは、上記課題を解決するために以下の構成を備えている。
【０００７】
（１）被写体を撮像する撮像手段と、
前記撮像手段が撮像している被写体の画像を表示する表示手段と、
シャッタボタンが押下されたときに、前記表示手段で表示されている画像を記録する記録手段と、を備えたディジタルカメラにおいて、
前記撮像手段が撮像している被写体の画像について、縦方向、または横方向に伸ばした伸長画像を生成する伸長画像生成手段と、を備え、
前記表示手段は、伸長画像生成手段が生成した前記伸長画像を表示する機能を含む。
【０００８】
この構成では、表示手段が伸長画像生成手段により生成された撮像画像を縦方向、または横方向に伸ばした伸長画像を表示しているときに、シャッタボタンが押下されると、表示手段で表示している伸長画像が記録手段に記録される。伸長画像は、フラッシュメモリ等の記録媒体に記録される。
【０００９】
このように、シャッタボタンを押下する前に、撮像画像を縦方向、または横方向に伸ばした伸長画像が表示手段に表示されるので、ユーザはシャッタボタンを押下する前に、伸長画像における人物と背景とのバランス等を確認することができる。したがって、ユーザは撮像を何度もやり直すことなく、自分の好みにあう伸長画像を得ることができる。
【００１０】
（２）前記伸長画像生成手段は、第１のボタンが押下された場合に縦方向に伸ばした前記伸長画像を生成し、第２のボタンが押下された場合に横方向に伸ばした前記伸長画像を生成する手段である。
【００１１】
この構成では、第１のボタンを押下することで、撮像画像を縦方向に伸ばした伸長画像を撮像することができ、第２のボタンを押下することで、撮像画像を横方向に伸ばした伸長画像を撮像することができる。例えば、少し太り気味の人物を撮像するときは、第１のボタンを押下することで、その人物を細くした伸長画像を記録媒体に記録することができ、反対に少しやせ気味の人物を撮像するときに、第２のボタンを押下することで、その人物を太くした伸長画像を記録媒体に記録することができる。また、少し太り気味の人物を撮像するときに、第２のボタンを押下することにより、その人物の太り具合を強調する伸長画像を記録媒体に記録することができる。
【００１２】
（３）前記伸長画像生成手段は、前記第１のボタンが押下された場合に、第１の時間毎に前記撮像画像を縦方向に伸ばす比率を段階的に切り替えながら前記伸長画像を生成し、
前記第２のボタンが押下された場合に、第２の時間毎に前記撮像画像を横方向に伸ばす比率を段階的に切り替えながら前記伸長画像を生成する手段である。
【００１３】
この構成では、第１のボタンが押下されると、伸長画像生成手段が撮像画像を縦方向に伸ばす比率を段階的に切り替えながら伸長画像を生成するので、ユーザは表示手段において第１の時間毎に縦方向に伸ばす比率を段階的に切り替えた撮像画像を第１の時間毎に確認することができる。また、第２のボタンが押下されると、伸長画像生成手段が第２の時間毎に撮像画像を横方向に伸ばす比率を段階的に切り替えながら伸長画像を生成するので、ユーザは表示手段において横方向に伸ばす比率を段階的に切り替えた撮像画像を第２の時間毎に確認することができる。
【００１４】
なお、第１の時間と、第２の時間とは、同じ時間であってもよいし、異なる時間であってもよい。
【００１５】
したがって、ユーザは自分の好みに合う伸長画像が得られる、縦方向、または横方向に伸ばす比率を簡単に確認することができる。
【００１６】
（４）前記伸長画像生成手段は、前記第１の時間毎に前記撮像画像を縦方向に伸ばす比率を段階的に切り替えながら前記伸長画像を生成しているときに、前記第１のボタンが再度押下された場合、前記撮像画像を縦方向に伸ばす比率をその時点の比率に設定し、
また、前記第２の時間毎に前記撮像画像を横方向に伸ばす比率を段階的に切り替えながら前記伸長画像を生成しているときに、前記第２のボタンが再度押下された場合、前記撮像画像を横方向に伸ばす比率をその時点の比率に設定する手段である。
【００１７】
この構成では、縦方向、または横方向に伸ばす比率の設定が第１のボタンまたは第２のボタンの押下で行えるので、本体に設けるボタンの総数を抑えることができる。
【発明の効果】
【００１８】
この発明によれば、シャッタボタンを押下する前に、撮像画像を縦方向、または横方向に伸ばした伸長画像が表示手段に表示されるので、ユーザはシャッタボタンを押下する前に、伸長画像における人物と背景とのバランス等を確認することができる。したがって、ユーザは撮像を何度もやり直すことなく、自分の好みにあう伸長画像を得ることができる。
【発明を実施するための最良の形態】
【００１９】
以下、この発明の実施形態であるディジタルカメラについて説明する。
【００２０】
図１は、この発明の実施形態であるディジタルカメラの主要部の構成を示す図である。この実施形態のディジタルカメラ１は、本体の動作を制御する制御部２と、被写体を撮像する撮像部３と、撮像部３で撮像されている撮像画像の加工等を行う画像処理部４と、画像処理部４から出力された画像を表示する表示部５と、撮像部３で撮像されている画像や画像処理部４で加工された画像の画像データを記録する記録部６と、本体に対する入力操作を行う操作部７と、を備えている。
【００２１】
撮像部３は、イメージセンサであるＣＣＤを有し、撮像レンズを介してＣＣＤ上に投影された被写体の撮像画像の画像データを出力する。撮像部３が出力する画像データは、画像処理部４に入力される。画像処理部４は、画像データが入力された撮像画像を縦方向に伸ばした縦方向伸長画像や、横方向に伸ばした横方向伸長画像を生成する加工を行う。また、入力された撮像画像、前記縦方向伸長画像、前記横方向伸長画像の画像データをエンコードする処理や、エンコードされている画像データをデコードする処理等も行う。画像処理部４は、表示部５に対して表示させる画像の画像データを出力する。表示部５は、画像処理４から入力された画像データに基づく画像を表示する。また、画像処理部４は、記録部６に記録する画像について画像データをエンコードし、記録部６に入力する。記録部６は、画像処理４から入力された画像データ（エンコードされている画像データ）を記録媒体に記録する。言い換えれば、画像処理部４は必要に応じてエンコードした画像データを記録部６の記録媒体に記録する。また、記録部６は画像処理部４からの要求に応じて記録媒体に記録している画像データを画像処理部４へ出力する。言い換えれば、画像処理部４は必要に応じて記録部６の記録媒体に記録されている画像データを読み出す。画像処理部４は、記録部６から読み出した画像データをデコードし、デコードした画像データを表示部５へ出力する。操作部７には、シャッタボタン７ａ、撮像画像を縦方向に伸長するときに操作する縦伸長ボタン７ｂ（この発明で言う、第１のボタン）、撮像画像を横方向に伸長するときに操作する横伸長ボタン７ｃ（この発明で言う、第２のボタン）等が設けられている。
【００２２】
ここで、画像処理部４が生成する縦方向伸長画像、および横方向伸長画像について説明する。まず、縦方向伸長画像について説明する。縦方向伸長画像とは、図２に示すように、撮像部３で撮像されている撮像画像（図２（Ａ）参照）について、縦方向にのみ拡大し、この拡大した画像（図２（Ｂ）参照）の下端部をカットして縦横比を撮像画像と同じにした画像（図２（Ｃ）参照）である。画像処理部４は、縦方向に伸ばす比率（以下、縦方向伸長率と言う。）が５％、１０％、１５％、２０％、２５％である５段階の縦方向伸長画像を選択的に生成する。
【００２３】
次に、横方向伸長画像について説明する。横方向伸長画像とは、図３に示すように、撮像部３で撮像されている撮像画像（図３（Ａ）参照）について、横方向にのみ拡大し、この拡大した画像（図３（Ｂ）参照）の左右両側を均等にカットして縦横比を撮像画像と同じにした画像（図３（Ｃ）参照）である。画像処理部４は、横方向に伸ばす比率（以下、横方向伸長率と言う。）が５％、１０％、１５％、２０％、２５％である５段階の横方向伸長画像を選択的に生成する。
【００２４】
以下、この実施形態のディジタルカメラ１における被写体の撮像時の動作について説明する。制御部２は、撮像モードが選択されると、画像処理部４に対して撮像画像に対する縦方向伸長率、および横方向伸長率を０％にする初期設定を行う。撮像画像に対する縦方向伸長率、および横方向伸長率を０％にするとは、撮像画像を縦方向、および横方向に伸ばさないという意味であり、画像処理部４は撮像部３から入力された撮像画像に対して縦方向、および横方向に伸ばす加工を行うことなく、入力された撮像画像の画像データを表示部５へ出力する。
【００２５】
撮像モードでは、撮像部３が撮像している被写体の撮像画像の画像データを画像処理部４に入力する。画像処理部４は、撮像画像に対する縦方向伸長率、および横方向伸長率が０に設定されていると、撮像部３から入力された撮像画像の画像データを表示部５に入力する。したがって、表示部５では撮像部３で撮像されている被写体の撮像画像が表示される。
【００２６】
ユーザは、例えば被写体である人物が少し太り気味であるので、この人物を細めに撮像したいと思ったときに、操作部７の縦伸長ボタン７ｂを押下する。制御部２は、縦伸長ボタン７ｂが押下されると、図４に示す縦方向伸長更新処理を行う。制御部２は、この時点で画像処理部４に対して設定している横方向伸長率が０であるかどうかを判定する（ｓ１）。ｓ１では、ユーザがこれまで後述する横方向の伸長画像を得るための操作を行っていたかどうかを判定している。制御部２は、ｓ１で横方向伸長率が０であると判定すると、画像処理部４に対して設定している縦方向伸長率が最大の２５％であるかどうかを判定する（ｓ２）。制御部２は、ｓ２で縦方向伸長率が最大の２５％でないと判定すると、画像処理部４に対する縦方向伸長率の設定を１段階アップする（ｓ３）。具体的には、制御部２は画像処理部４に対して設定している縦方向伸長率が０％であれば５％に設定を更新し、５％であれば１０％に設定を更新し、１０％であれば１５％に設定を更新し、１５％であれば２０％に設定を更新し、２０％であれば２５％に設定を更新する。制御部２は、ｓ２で縦方向伸長率が最大の２５％であると判定すると、画像処理部４に対する縦方向伸長率の設定を０％に更新する（ｓ４）。また、制御部２は、ｓ１で画像処理部４に対して設定している横方向伸長率が０％でないと判定すると、画像処理部４に対して撮像画像に対する縦方向伸長率、および横方向伸長率を０％に設定する（ｓ５）。
【００２７】
制御部２は、縦伸長ボタン７ｂが押下される毎に上記処理を行う。画像処理部４は、設定されている縦方向伸長率が０％でなければ、撮像部３から入力されている撮像画像について、設定されている縦方向伸長率に基づく縦方向伸長画像を生成し、この縦方向伸長画像の画像データを表示部５へ入力する。これにより、表示部５では、撮像部３で撮像されている被写体の撮像画像を、設定されている縦方向伸長率で縦方向に伸長した縦方向伸長画像が表示される。
【００２８】
したがって、ユーザは、シャッタボタン７ａの押下前であっても、撮像部３で撮像されている被写体の撮像画像を縦方向に伸長した縦方向伸長画像を表示部５で確認することができる。言い換えれば、ユーザはシャッタボタン７ａの押下前に縦方向伸長画像における人物と背景のバランスを確認することができる。また、ユーザは縦伸長ボタン７ｂを繰り返し押下することで、表示部５において縦方向伸長率を０％、５％、１０％、１５％、２０％、２５％とした縦方向伸長画像をこの順に確認することができ、自分の好みにあう縦方向伸長画像が得られる縦方向伸長率を簡単に確認することができる。さらに、画像処理部４に対して設定している横方向伸長率が０でないとき、後述するように表示部５において横方向伸長画像が表示されているとき、ユーザは縦伸長ボタン７ｂを押下することで、横方向の伸長をリセットし、撮像部３で撮像されている被写体の撮像画像を表示部５に表示することができる。
【００２９】
また、ユーザは、例えば被写体である人物が少しやせ気味であるので、この人物を太めに撮像したいと思ったときに、被写体である人物が少し太り気味であるので、この人物の太り具合を強調して撮像したいと思ったときに、操作部７の横伸長ボタン７ｃを押下する。制御部２は、横伸長ボタン７ｃが押下されると、図５に示す横方向伸長更新処理を行う。制御部２は、この時点で画像処理部４に対して設定している縦方向伸長率が０％であるかどうかを判定する（ｓ１１）。ｓ１１では、ユーザがこれまで上述した縦方向の伸長画像を得るための操作を行っていたかどうかを判定している。制御部２は、ｓ１１で縦方向伸長率が０であると判定すると、画像処理部４に対して設定している横方向伸長率が最大の２５％であるかどうかを判定する（ｓ１２）。制御部２は、ｓ１２で横方向伸長率が最大の２５％でないと判定すると、画像処理部４に対する横方向伸長率の設定を１段階アップする（ｓ１３）。具体的には、制御部２は画像処理部４に対して設定している横方向伸長率が０％であれば５％に設定を更新し、５％であれば１０％に設定を更新し、１０％であれば１５％に設定を更新し、１５％であれば２０％に設定を更新し、２０％であれば２５％に設定を更新する。制御部２は、ｓ１２で横方向伸長率が最大の２５％であると判定すると、画像処理部４に対する横方向伸長率の設定を０に更新する（ｓ１４）。また、制御部２は、ｓ１１で画像処理部４に対して設定している縦方向伸長率が０％でないと判定すると、画像処理部４に対して撮像画像に対する縦方向伸長率、および横方向伸長率を０％に設定する（ｓ１５）。
【００３０】
制御部２は、横伸長ボタン７ｃが押下される毎に上記処理を行う。画像処理部４は、設定されている横方向伸長率が０でなければ、撮像部３から入力されている撮像画像について、設定されている横方向伸長率に基づく横方向伸長画像を生成し、この横方向伸長画像の画像データを表示部５へ入力する。これにより、表示部５では、撮像部３で撮像されている被写体の撮像画像を、設定されている横方向伸長率で横方向に伸長した横方向伸長画像が表示される。
【００３１】
したがって、ユーザは、シャッタボタン７ａの押下前であっても、撮像部３で撮像されている被写体の撮像画像を横方向に伸長した横方向伸長画像を表示部５で確認することができる。言い換えれば、ユーザはシャッタボタン７ａの押下前に横方向伸長画像における人物と背景のバランスを確認することができる。また、ユーザは横伸長ボタン７ｃを繰り返し押下することで、表示部５において横方向伸長率を０％、５％、１０％、１５％、２０％、２５％とした横方向伸長画像をこの順に確認することができ、自分の好みにあう横方向伸長画像が得られる横方向伸長率を簡単に確認することができる。さらに、画像処理部４に対して設定している縦方向伸長率が０でないとき、すなわち上述した表示部５において縦方向伸長画像が表示されているとき、ユーザは横伸長ボタン７ｃを押下することで、縦方向の伸長をリセットし、撮像部３で撮像されている被写体の撮像画像を表示部５に表示することができる。
【００３２】
また、この実施形態のディジタルカメラ１は、シャッタボタン７ａが押下されると、そのときに表示部５で表示されている画像（撮像画像、縦方向伸長画像、または横方向伸長画像）を記録部６に記録する。具体的には、画像処理部４が表示部５に入力している画像の画像データをエンコードし、このエンコードした画像データを記録部６に記録する。したがって、ユーザはシャッタボタン７ａを押下することで、被写体である人物と背景とのバランス等が自分の好みにあう縦方向伸長画像や横方向伸長画像を記録部６に記録することができる。
【００３３】
なお、上述の説明から明らかなように、ユーザはシャッタボタン７ａを押下する前に、縦方向伸長画像や横方向伸長画像における被写体と背景とのバランス等を表示部５に表示された画像で確認している。したがって、ユーザが自分の好みにあわない縦方向伸長画像や横方向伸長画像を記録部６に記録するのを防止できる。
【００３４】
また、上記実施形態では、縦伸長ボタン７ｂが押下される毎に、画像処理部４に設定する縦方向伸長画像を更新するとしたが、以下に示すようにしてもよい。図６は、別の実施形態にかかる縦方向伸長処理を示すフローチャートである。制御部２は、縦伸長ボタン７ｂが押下されると、図６に示す縦方向伸長更新処理を行う。制御部２は、画像処理部４に対して撮像画像に対する縦方向伸長率、および横方向伸長率を０に設定する（ｓ２１）。その後、一定時間（例えば、４〜５秒）経過するか、再度縦伸長ボタン７ｂが押下されるのを待つ（ｓ２２、ｓ２３）。制御部２は、ｓ２２で一定時間経過したと判定すると、画像処理部４に対して設定している縦方向伸長率が最大の２５％であるかどうかを判定する（ｓ２４）。制御部２は、ｓ２４で縦方向伸長率が最大の２５％でないと判定すると、画像処理部４に対する縦方向伸長率の設定を１段階アップし（ｓ２５）、ｓ２２に戻る。具体的には、上述したｓ３と同じ処理を行って、ｓ２２に戻る。また、制御部２は、ｓ２４で縦方向伸長率が最大の２５％であると判定すると、画像処理部４に対する縦方向伸長率の設定を０％に更新する（ｓ２６）。
【００３５】
また、制御部２はｓ２３で再度縦伸長ボタン７ｂが押下されたと判定すると、この処理を完了する。画像処理部４は、最後に設定された縦方向伸長率で動作する。したがって、ユーザは縦伸長ボタン７ｂを押下すると、表示部５において一定時間毎に縦方向伸長率を変更した縦方向伸長画像が表示されるので、自分の好みにあう縦方向伸長画像が得られる縦方向伸長率を簡単に確認することができる。さらに、ユーザは表示部５において自分の好みにあう縦方向伸長画像が表示されているときに、再度縦伸長ボタン７ｂを押下するだけで、自分の好みにあう縦方向伸長画像が得られる縦方向伸長率を画像処理部４に設定することができる。
【００３６】
さらに、図７は、別の実施形態にかかる横方向伸長処理を示すフローチャートである。制御部２は、横伸長ボタン７ｃが押下されると、図７に示す横方向伸長更新処理を行う。制御部２は、画像処理部４に対して撮像画像に対する横方向伸長率、および縦方向伸長率を０に設定する（ｓ３１）。その後、一定時間（例えば、４〜５秒）経過するか、再度横伸長ボタン７ｃが押下されるのを待つ（ｓ３２、ｓ３３）。制御部２は、ｓ３２で一定時間経過したと判定すると、画像処理部４に対して設定している横方向伸長率が最大の２５％であるかどうかを判定する（ｓ３４）。制御部２は、ｓ３４で横方向伸長率が最大の２５％でないと判定すると、画像処理部４に対する横方向伸長率の設定を１段階アップし（ｓ３５）、ｓ３２に戻る。具体的には、上述したｓ１３と同じ処理を行って、ｓ３２に戻る。また、制御部２は、ｓ３４で縦方向伸長率が最大の２５％であると判定すると、画像処理部４に対する縦方向伸長率の設定を０％に更新する（ｓ３６）。
【００３７】
また、制御部２はｓ３３で再度横伸長ボタン７ｃが押下されたと判定すると、この処理を完了する。画像処理部４は、最後に設定された横方向伸長率で動作する。したがって、ユーザは横伸長ボタン７ｃを押下すると、表示部５において一定時間毎に横方向伸長率を変更した横方向伸長画像が表示されるので、自分の好みにあう横方向伸長画像が得られる横方向伸長率を簡単に確認することができる。さらに、ユーザは表示部５において自分の好みにあう横方向伸長画像が表示されているときに、再度横伸長ボタン７ｃを押下するだけで、自分の好みにあう縦方向伸長画像が得られる横方向伸長率を画像処理部４に設定することができる。
【００３８】
なお、上記の説明ではシャッタボタン７ａが押下されたときに、表示部５に表示されている画像（撮像画像、縦方向伸長画像、または横方向伸長画像）を記録部６に記録するとしたが、表示部５に表示されている画像が縦方向伸長画像、または横方向伸長画像である場合には、元になった撮像画像も対にして記録部６に記録するようにしてもよい。
【図面の簡単な説明】
【００３９】
【図１】この発明の実施形態であるディジタルカメラの主要部の構成を示す図である。
【図２】縦方向に伸長した伸長画像を説明する図である。
【図３】横方向に伸長した伸長画像を説明する図である。
【図４】この発明の実施形態であるディジタルカメラにおける縦方向伸長更新処理を示すフローチャートである。
【図５】この発明の実施形態であるディジタルカメラにおける横方向伸長更新処理を示すフローチャートである。
【図６】この発明の実施形態であるディジタルカメラにおける縦方向伸長更新処理を示すフローチャートである。
【図７】この発明の実施形態であるディジタルカメラにおける横方向伸長更新処理を示すフローチャートである。
【符号の説明】
【００４０】
１−ディジタルカメラ
２−制御部
３−撮像部
４−画像処理部
５−表示部
６−記録部
７−操作部
７ａーシャッタボタン
７ｂ−縦伸長ボタン
７ｃ−横伸長ボタン
【図１】
2006135533.tif 000003
【図２】
2006135533.tif 000004
【図３】
2006135533.tif 000005
【図４】
2006135533.tif 000006
【図５】
2006135533.tif 000007
【図６】
2006135533.tif 000008
【図７】
2006135533.tif 000009